(57)【要約】【課題】組立作業が簡単に行えるゴキブリ捕獲器を提供する。【解決手段】底壁１と側壁２，３と天壁４，５とから捕獲器本体が構成され、側壁２，３を折り曲げて、捕獲器本体を平坦に折畳み、側壁２，３を伸ばして、捕獲器本体を立体に組立てるゴキブリ捕獲器であって、底壁１の上面に、ゴキブリ捕獲用の粘着剤層Ｘを形成し、天壁の下面に、粘着剤層保護用の剥離紙Ｙを接着しており、剥離紙Ｙの天壁４，５に対する接着力が、粘着剤層への粘着力よりも強い。側壁２，３は、底壁１の対向する二辺に設けられた立壁６，７と、他の対向する二辺に設けられた折畳み壁２，３とからなり、立壁６，７には、係止用の第１切込み６５，７５が形成されており、折畳み壁２，３には、折畳み壁の伸長動作に伴って倒れ込む係止片６６，７６が設けられており、係止片６６，７６が倒れ込んだとき第１切込み６５，７５に係合する。【選択図】図１
2006325472.tif 000002
【特許請求の範囲】
【請求項１】
底壁と側壁と天壁とから捕獲器本体が構成され、前記側壁を折り曲げて、捕獲器本体を平坦に折り畳んで保管状態とし、前記側壁を伸ばして、捕獲器本体を立体に組立てて使用状態とするゴキブリ捕獲器であって、
前記底壁の上面に、ゴキブリ捕獲用の粘着剤層を形成し、
前記天壁の下面に、前記粘着剤層保護用の剥離紙を接着しており、
前記剥離紙の前記天壁に対する接着力を、前記粘着剤層への粘着力よりも強くしている
ことを特徴とするゴキブリ捕獲器。
【請求項２】
前記側壁が、前記底壁の対向する二辺に設けられた立壁と、他の対向する二辺に設けられた折畳み壁とからなり、
前記立壁には、係止用の切込みが形成されており、
前記折畳み壁には、該折畳み壁の伸長動作に伴って倒れ込む係止片が設けられており、
該係止片が倒れ込んだとき前記切込みに係合する
ことを特徴とする請求項１記載のゴキブリ捕獲器。
【請求項３】
前記天壁に、前記底壁から引き離すためのつまみ片が取付けられている
ことを特徴とする請求項２記載のゴキブリ捕獲器。
【請求項４】
前記側壁が、前記底壁の対向する二辺に設けられた立壁と、他の対向する二辺に設けられた折畳み壁とからなり、
前記立壁が、前記底壁より下方に延びた脚部と上方に延びた折込み部とからなり、折込み部の両端は前記一対の折畳み壁の外側に係合して、該折畳み壁が立上った状態に保持する拘束手段である
ことを特徴とする請求項１記載のゴキブリ捕獲器。
【発明の詳細な説明】
【技術分野】
【０００１】
本発明は、ゴキブリ捕獲器に関する。さらに詳しくは、紙製であり、販売時や保管時には折り畳んでおき、使用時には組立てて使うゴキブリ捕獲器に関する。
【背景技術】
【０００２】
紙製の組立型ゴキブリ捕獲器に関しては、特開平１０−１６５０６９，特開平１１−９２，実公昭５２−１１０９７など多数存在しているが、そのうちの代表的なものとして、特許文献１に記載の従来例がある。
この従来例は、紙製であり、図１１（Ａ）に示すように、底壁100と４枚の側壁101〜104を有している。４枚の側壁101〜104は、舌片と切込みを有しており、対向する２枚の側壁を向き合わせ、舌片と切込みを引掛けて結合し、立体的に組み合わせるようになっている。
したがって、その使用に際しては、図１１（Ａ）〜（Ｄ）に示す手順で組立てるものであり、つぎの要領で行う。
１）側壁101，102を内側に折った後おこす。次に側壁103，104のツメを外側に折った後、側壁103，104をおこす。
２）座壁100上にある粘着面105に貼付していた剥離紙106をはがす。
３）粘着面の中央にゴキブリ誘引剤107を１錠置く。
４）側壁101，102にある差し込み部をしっかり差し込み口に差し込む。
【０００３】
上記の従来例では、谷折りが数個所、山折りが数個所、差し込みも数個所あって、結構組立に手間がかかるものである。また、ゴキブリを捕獲する粘着剤105には予め剥離シート106を貼付しているので、組立時には、この剥離シート106を剥がし取らなければならない。よって、使用に際しての組立が面倒であり、消費者にとって必ずしも便利ではない。
【０００４】
【特許文献１】特開平１０−１９１８６０号
【発明の開示】
【発明が解決しようとする課題】
【０００５】
本発明は上記事情に鑑み、組立作業が簡単に行えるゴキブリ捕獲器を提供することを目的とする。
【課題を解決するための手段】
【０００６】
第１発明のゴキブリ捕獲器は、底壁と側壁と天壁とから捕獲器本体が構成され、前記側壁を折り曲げて、捕獲器本体を平坦に折り畳んで保管状態とし、前記側壁を伸ばして、捕獲器本体を立体に組立てて使用状態とするゴキブリ捕獲器であって、前記底壁の上面に、ゴキブリ捕獲用の粘着剤層を形成し、前記天壁の下面に、前記粘着剤層保護用の剥離紙を接着しており、前記剥離紙の前記天壁に対する接着力を、前記粘着剤層への粘着力よりも強くしていることを特徴とする。
第２発明のゴキブリ捕獲器は、第１発明において、前記側壁が、前記底壁の対向する二辺に設けられた立壁と、他の対向する二辺に設けられた折畳み壁とからなり、前記立壁には、係止用の切込みが形成されており、前記折畳み壁には、該折畳み壁の伸長動作に伴って倒れ込む係止片が設けられており、該係止片が倒れ込んだとき前記切込みに係合することを特徴とする。
第３発明のゴキブリ捕獲器は、第２発明において、前記天壁に、前記底壁から引き離すためのつまみ片が取付けられていることを特徴とする。
第４発明のゴキブリ捕獲器は、第１発明において、前記側壁が、前記底壁の対向する二辺に設けられた立壁と、他の対向する二辺に設けられた折畳み壁とからなり、前記立壁が、前記底壁より下方に延びた脚部と上方に延びた折込み部とからなり、折込み部の両端は前記一対の折畳み壁の外側に係合して、該折畳み壁が立上った状態に保持する拘束手段であることを特徴とする。
【発明の効果】
【０００７】
第１発明によれば、天壁を底壁から引き離し側壁を伸ばして、捕獲器本体を立体に組立てると、天壁と共に剥離紙が付いて動き、剥離紙が粘着剤層から引き剥がされる。このように、捕獲器本体の組立動作によって、剥離紙も剥がされるので、一動作だけでゴキブリ捕獲器の組立が行える。
第２発明によれば、天壁を底壁から引き離す組立動作時に側壁が真直ぐに伸びるが、この側壁の伸び動作によって、折畳み壁の係止片が立壁の切込みに係合すると、側壁は自然には元のように折り畳まれることなく、捕獲器本体は組立てられた状態に保たれる。したがって、天壁を底壁から引き離すという一動作だけで組立を完了することができる。
第３発明によれば、組立時の天壁の底壁からの引き離しをつまみを持って行えるので、組立作業が容易に行える。
第４発明によれば、天壁を底壁から引き離す組立動作時に立壁も折畳み壁も真っ直ぐに伸びるが、立壁は底壁より下に延びた脚部があるので捕獲器本体を床面に置いたとき、一対の立壁は八の字状に開き、この結果立壁の折込み部は一対の折畳み壁の外側に係合して、折畳み壁を立上った状態に拘束し、その倒れを防止する。このため、天壁を底壁から引き離すという一動作だけで組立を完了することができる。
【発明を実施するための最良の形態】
【０００８】
つぎに、本発明の実施形態を図面に基づき説明する。
（第１実施形態）
図１は本発明の第１実施形態に係るゴキブリ捕獲器の組立状態を示す斜視図である。図２は図１のゴキブリ捕獲器の展開図である。図３の（Ａ）図はゴキブリ捕獲器の組立前における平面図、（Ｂ）図は（Ａ）図のＢ−Ｂ線断面図、（Ｃ）図は（Ａ）図におけるＣ矢視側面図である。図４は図１のゴキブリ捕獲器における組立手順の説明図である。
【０００９】
図２において、細実線は外形線を示し、太実線は切れ目を示し、点線は谷折り線を示し、丸点は山折り線を示している。
ゴキブリ捕獲器の展開した状態は、概ね長方形であり、その中央は底壁１で、その対向する二辺に折畳み壁２，３がつながっており、他の対向する二辺に立壁６，７がつながっている。これらの折畳み壁２，３と立壁６，７は特許請求の範囲にいう側壁を構成している。そして、前記折畳み壁２，３には、さらに天壁４，５がつながっている。
【００１０】
前記底壁１は、正四角形又は長四角形であって、上下の第１、第２谷折り線１１，１２と左右の第３、第４谷折り線２１，２２で囲まれた部分である。
前記折畳み壁２は、前記第１谷折り線１１とそれより図中下方の第３谷折り線１３との間の部分である。この第１谷折り線１１と第３谷折り線１３との間には、中間谷折り線１５が形成されている。前記折畳み壁２の下側の矩形部分は、天壁４である。
折畳み壁３は、前記第２谷折り線１２とそれより図中上方の第４谷折り線１４との間の部分である。この第２谷折り線１２と第４谷折り線１４との間には中間谷折り線１６が形成されている。前記折畳み壁３の上側の矩形部分は、天壁５である。この天壁５には、つまみ１０が形成されている。
【００１１】
前記折畳み壁２の内部には、窓３１と庇３２が形成されている。すなわち、折畳み壁２の幅方向の中央部分において、切取線３３，３４，３５，３６によって、台形の空間が形成されている。さらに、切取線３５，３６を延長した切り目３７，３８が形成され、この切り目３７，３８と前記切取線３４で囲まれた部分が庇３２となっている。
この庇３２の付け根の部分は、折り線が入っていないので、組立時には、この庇３２はほぼ水平になって側方に延びる。したがって、庇３２で覆われていた部分と前記窓３１が合わさって、組立時には大きな開口となる。
また、この窓３１と庇３２があることによって、第３谷折り線１３と中間谷折り線１５は、中央部分が欠けており、幅方向の両端部にのみ存することとなる。
【００１２】
前記折畳み壁３の内部には、窓４１と庇４２が形成されている。すなわち、折畳み壁３の幅方向の中央部分において、切取線４３，４４，４５，４６によって、台形の空間が形成されている。さらに、切取線４５，４６を延長した切り目４７，４８が形成され、この切り目４７，４８と前記切取線４４で囲まれた部分が庇４２となっている。
この庇４２の付け根の部分は、折り線が入っていないので、組立時には、この庇４２はほぼ水平になって側方に延びる。したがって、庇４２で覆われていた部分と前記窓４１が合わさって、組立時には大きな開口となる。
また、この窓４１と庇４２があることによって、第４谷折り線１４と中間谷折り線１６は、中央部分が欠けており、幅方向の両端部にのみ存することとなる。
【００１３】
前記底壁１の図中右側には、立壁６が設けられ、図中左側には立壁７が設けられている。前記立壁６は、ほぼ台形状の部材で、前記第３谷折り線２１と平行な外縁６１と両側の斜端縁６２，６２と両斜端６２，６２から、ほぼ同方向に延長する第１山折り線６３，６３とから囲まれている。
また、第１山折り線６３，６３の外方にはガイド片６４，６４が形成されている。このガイド片６４，６４の端縁から同方向に延びた位置には、係止用の第１切込み６５，６５が設けられている。
一方、一対の折畳み壁２，３の前側には、それぞれ係止片６６，６６が設けられている。これら係止片６６，６６は三角形の部材で、その斜片からは内側に向って第２切込み６７，６７が形成されている。
【００１４】
前記立壁７は、前記立壁６とほぼ台形状の部材で、前記第４谷折り線２２と平行な外縁７１と両側の斜端縁７２，７２と両斜端７２，７２から、ほぼ同方向に延長する第１山折り線７３，７３とから囲まれている。
また、第１山折り線７３，７３の外方にはガイド片７４，７４が形成されている。このガイド片７４，７４の端縁から同方向に延びた位置には、係止用の第１切込み７５，７５が設けられている。
一方、一対の折畳み壁２，３の前側には、それぞれ係止片７６，７６が設けられている。これら係止片７６，７６は三角形の部材で、その斜片からは内側に向かって第２切込み７７，７７が形成されている。
【００１５】
図３に示すように、使用前の状態、例えば、保管・販売時には、折り畳んで平坦にしておかれる。
すなわち、図（Ａ），（Ｃ）に示すように、天壁４，５は先端部を互いに重ねて接着しておく。一対の立壁６，７は天壁４，５の上面に折り重ねておかれる。
そして、折り重ねられた、底壁１と天壁４，５との間には、（Ｂ）図に示すように、粘着剤層Ｘと剥離紙Ｙが入れられている。
粘着剤層Ｘは底壁１の上面に粘着剤を塗布して形成したものである。この粘着剤は、進入したゴキブリの足をとらえて逃がさないようにするものである。
剥離紙Ｙは粘着剤層Ｘの表面を覆う部材であるが、その上面は、天壁４，５に強力に接着されている。この接着力は粘着剤層Ｘとの密着力より強く、天壁４，５を上方に引き上げると、同時に剥離紙Ｙが、粘着剤層Ｘから離れるようになっている。
【００１６】
つぎに、使用のため組立てる方法を説明する。
（１）組立前の状態は、図３に示すような平坦に折り畳まれた状態である。
この状態から、図４の（Ａ）図に示すように、つまみ１０を持って引き上げる。これによって、天壁４，５が引き上げられ、一対の立壁６，７も立てられる。
（２）引き続き、つまみ１０を持って天壁４，５を引き上げると、一対の折畳み壁２，３も寝ていた状態から矢印ａで示すように立上ってくる。この動きが続くと、係止片６６，７６の第２切込み６７，７７が、立壁６，７の第１切込み６５，７５に嵌まり込む。
なお、ガイド片６４，７４は、第１山折り線６３，７３で外向きに折れているので、係止片６６，７６の切込み結合が円滑にすすむよう案内する。
（３）（Ｃ）図に示すように、両側の折畳み壁２，３が直角に立上った状態では、前後左右４個の係止片６６，７６の第２切込み６７，７７が立壁６，７の第１切込み６５，７５に嵌ってしまうので、両側の折畳み壁２，３はもう倒れることはない。したがって、ゴキブリ捕獲器は組立てられた状態を自ら保持することになる。このように組立に際して引き上げる手間だけで、折り線に沿って畳んだり、係合部を嵌め合わせる等の面倒は一切必要ない。
（４）そして、剥離紙Ｙは、天壁４，５を持ち上げる段階で粘着剤層Ｘから離れて上方に引き上げられるので、剥離紙Ｙを剥がす手間も必要ない。
【００１７】
図１は、以上のようにして組立てられたゴキブリ捕獲器を示している。
組立状態では、庇３２，４２はほぼ水平あるいは緩く傾斜し側方に延びる。したがって、庇３２，４２で覆われていた部分と前記窓３１，４１が合わさって、組立時には大きな開口となる。
また、立壁６，７上の上面も開口しており、ゴキブリは、これらの開口からゴキブリ捕獲器内に進入することができる。そして、進入するや粘着剤層Ｘによって足がからめられるので、捕獲されることになる。
【００１８】
以上のとおりであるから本実施形態では、天壁４，５を底壁１から引き離すという一動作だけで組立を完了することができる。そして、捕獲器本体の組立動作によって、剥離紙Ｙも剥がされるので、ゴキブリ捕獲器の組立が簡単に行えるという利点がある。
【００１９】
（第２実施形態）
つぎに、第２実施形態のゴキブリ捕獲器を説明する。
図５は本発明の他の実施形態に係るゴキブリ捕獲器の展開図である。図６は図５のゴキブリ捕獲器の組立状態における平面図である。図７は図５のゴキブリ捕獲器の組立状態における斜視図である。
この実施形態のゴキブリ捕獲器は、天壁４，５を接着しないで、長いつまみ片で互いに結合するようにしたものである。
すなわち、図５に示すように、一方の天壁５の先端に長いつまみ片５１を取付けておき、他方の天壁４には切込み５２を形成している。この切込み５２につまみ片５１を通しておく。
他の構成は前記実施形態と同一であるので、図５〜図７において、同一部材に同一符号を付して説明を省略する。
【００２０】
本実施形態では、以上のような構成であるので、図６に示すように、使用前の折畳み状態で、つまみ片５１を切込み５２に通しておけば、図７に示すようにつまみ片５２を引き上げるだけで、天壁４，５を引き上げることができる。勿論、このとき一対の折畳み壁２，３も一対の立壁６，７も垂直に立ち上るので、前記実施形態と同様に、一動作でゴキブリ捕獲器を組立てることができる。
なお、組立後の使用方法は、第１実施形態のゴキブリ捕獲器と同様である。
【００２１】
以上のとおりであるから本実施形態でも、天壁４，５を底壁１から引き離すという一動作だけで組立を完了することができる。そして、捕獲器本体の組立動作によって、剥離紙Ｙも剥がされるので、ゴキブリ捕獲器の組立が簡単に行えるという利点がある。
【００２２】
（第３実施形態）
図８は本発明の第３実施形態に係るゴキブリ捕獲器の展開図である。図９は図８のゴキブリ捕獲器の組立状態における平面図である。図１０は図８のゴキブリ捕獲器の組立状態における斜視図である。
【００２３】
底壁１と折畳み壁２，３と天壁４，５は前記第１実施形態と実質同一のため、同一部材に同一符号を付して、説明を省略する。
ただし、底壁１を囲む左右の第１，第２谷折り線１１，１２は第１実施形態と同じ谷折り線であるが、前後の折り線２３，２４は第１実施形態と異なり山折り線である。本実施形態では、これらの山折り線を第１，第２山折り線２３，２４という。
【００２４】
前記底壁１の左右につながる立壁８，９は、前記した第１実施形態と異なっている。
前記立壁８には、高さ方向の途中において、前記第１山折り線２３と平行な第２谷折り線２５が形成されている。この第２谷折り線２５と第１山折り線２３で囲まれた部分を脚部８１といい、第２谷折り線２５から外側の部分を折込み部８２という。
また、第２谷折り線２５の両端部には三角形状の切欠き８３，８４が形成されている。そして、折込み部８２の両端には、長方形の係止片８５，８６が形成されている。この係止片８５，８６は組立時に折畳み壁２，３の外側に係合して、折畳み壁２，３を立上った状態に保持する拘束手段である。
【００２５】
前記立壁９には、高さ方向の途中において、前記第１山折り線２４と平行な第２谷折り線２６が形成されている。この第２谷折り線２６と第１山折り線２４で囲まれた部分を脚部９１といい、第２谷折り線２６から外側の部分を折込み部９２という。
また、第２谷折り線２６の両端部には三角形状の切欠き９３，９４が形成されている。そして、折込み部９２の両端には、長方形の係止片９５，９６が形成されている。この係止片９５，９６は、組立時に折畳み壁２，３の外側に係合して、折畳み壁２，３を立上った状態に保持する拘束手段である。
【００２６】
粘着剤層Ｘと剥離紙Ｙは第１実施形態と同様である。すなわち、剥離紙Ｙは粘着剤層Ｘの表面を覆う部材であるが、その上面は、天壁４，５に強力に接着されている。この接着力は粘着剤層Ｘとの密着力より強く、天壁４，５を上方に引き上げると、同時に剥離紙Ｙが、粘着剤層Ｘから離れるようになっている。
【００２７】
つぎに、使用のため組立てる方法を説明する。
（１）組立前の状態は、図９に示すような平坦に折り畳まれた状態である。折畳まれた状態では、立壁８，９の折込み部８２，９２は、天壁４，５の上面に載せられている。したがって、脚部８１，９１は天壁４，５の端縁より外へ出ている。
この状態から、図１０に示すように、天壁４，５（または、その接合部分）を持って引き上げる。これによって、天壁４，５が引き上げられ、一対の折畳み壁２，３も立てられる。
（２）また、天壁４，５の引き上げにより、一対の立壁８，９も折畳まれていた状態から少し引き起こされるが、天壁４，５が一対の立壁８，９の間を通り抜けた後で、捕獲器本体を床面上に置くと、立壁８，９の脚部８１，９１が床面上で八字状に開くので、折込み部８２，９２が一対の折畳み壁２，３の間に倒れ込む。
（３）上記のように、一対の折畳み壁２，３が立ち上がり、折込み部が倒れ込むと、係止片８５，８６が折畳み壁２，３の一方の端の外側に倒れ込み、係止片９５，９６は折畳み壁２，３の他方の端の外側に倒れ込む。
このように、係止片８５，８６、９５，９６が折畳み壁２，３を立上った状態に保持すると、折畳み壁２，３はもう倒れることはない。したがって、ゴキブリ捕獲器は組立てられた状態を自ら保持することになる。このように組立に際して引き上げる手間だけで、折り線に沿って畳んだり、係合部を嵌め合わせる等の面倒は一切必要ない。
（４）そして、剥離紙Ｙは、天壁４，５を持ち上げる段階で粘着剤層Ｘから離れて上方に引き上げられるので、剥離紙Ｙを剥がす手間も必要ない。
【００２８】
図１０に示すようにゴキブリ捕獲器が組立てられた状態では、庇３２，４２はほぼ水平あるいは多少傾斜して側方に延びる。したがって、庇３２，４２で覆われていた部分と前記窓３１，４１が合わさって、組立時には大きな開口となる。
また、立壁８，９上の上面も開口しており、ゴキブリは、これらの開口からゴキブリ捕獲器内に進入することができる。そして、進入するや粘着剤層Ｘによって足がからめられるので、捕獲されることになる。
【００２９】
以上のとおりであるから本実施形態では、天壁４，５を底壁１から引き離すという一動作だけで組立を完了することができる。そして、捕獲器本体の組立動作によって、剥離紙Ｙも剥がされるので、ゴキブリ捕獲器の組立が簡単に行えるという利点がある。
【図面の簡単な説明】
【００３０】
【図１】本発明の第１実施形態に係るゴキブリ捕獲器の組立状態を示す斜視図である。
【図２】図１のゴキブリ捕獲器の展開図である。
【図３】（Ａ）図はゴキブリ捕獲器の組立前における平面図、（Ｂ）図は（Ａ）図のＢ−Ｂ線断面図、（Ｃ）図は（Ａ）図におけるＣ矢視側面図である。
【図４】図１のゴキブリ捕獲器における組立手順の説明図である。
【図５】本発明の第２実施形態に係るゴキブリ捕獲器の展開図である。
【図６】図５のゴキブリ捕獲器の組立状態における平面図である。
【図７】図５のゴキブリ捕獲器の組立状態における斜視図である。
【図８】本発明の第３実施形態に係るゴキブリ捕獲器の展開図である。
【図９】図８のゴキブリ捕獲器の組立状態における平面図である。
【図１０】図８のゴキブリ捕獲器の組立状態における斜視図である。
【図１１】従来のゴキブリ捕獲器の組立手順説明図である。
【符号の説明】
【００３１】
１    底壁
２    折畳み壁
３    折畳み壁
４    天壁
５    天壁
６    立壁
７    立壁
８    立壁
９    立壁
Ｘ    粘着材層
Ｙ    剥離紙
【図１】
2006325472.tif 000003
【図２】
2006325472.tif 000004
【図３】
2006325472.tif 000005
【図４】
2006325472.tif 000006
【図５】
2006325472.tif 000007
【図６】
2006325472.tif 000008
【図７】
2006325472.tif 000009
【図８】
2006325472.tif 000010
【図９】
2006325472.tif 000011
【図１０】
2006325472.tif 000012
【図１１】
2006325472.tif 000013